(57)【要約】【課題】温水、冷水および常温水を出水すると共に、各種配管を熱殺菌できる飲料水サーバーを提供する。【解決手段】飲料水サーバー１は、温水タンク４、第三原水供給管１５、第一原水供給管１１、第一返水管３１、第二返水管３２、常温水出水管２１、第四返水管３４、温水出水管２５に通水する第一循環状態と、温水タンク４、第三原水供給管１５、第一原水供給管１１、第一返水管３１、第三返水管３３、冷水出水管２３、冷水タンク２、常温水出水管２１、第四返水管３４、温水出水管２５に通水する第二循環状態と、冷水タンク２、常温水出水管２１、第二返水管３２、第一返水管３１、第一原水供給管１１、第二原水供給管１４に通水する第三循環状態と、を有する。【選択図】図１
2018058610.tif 000002
【特許請求の範囲】
【請求項１】
飲料水が充填された原水容器が着脱する連結部と、
前記飲料水を冷却する冷却器を有し、冷水と常温水を貯留する冷水タンクと、
前記飲料水を加熱する加熱器を有し、温水を貯留する温水タンクと、
前記連結部に連通して、前記原水容器に充填された飲料水を下流分岐弁まで通水する第一原水供給管と、
前記下流分岐弁から前記冷水タンクの上部に向けて配管される第二原水供給管と、
前記下流分岐弁から前記温水タンクの下部に向けて配管される第三原水供給管と、
前記冷水タンクの下部に連通して、冷水を冷水出水弁まで通水する冷水出水管と、
前記冷水タンクの上部に連通して、常温水を常温水出水弁まで通水する常温水出水管と、
前記温水タンクに連通して、温水を温水出水弁まで通水する温水出水管と、
前記第一原水供給管の上流側で上流分岐弁を介して分岐して、飲料水を返水分岐弁まで通水する第一返水管と、
前記返水分岐弁から前記常温水出水管に向けて配管される第二返水管と、
前記返水分岐弁から前記冷水出水管に向けて配管される第三返水管と、
前記常温水出水管の上流側と前記温水出水管の下流側を連通する第四返水管と、
前記冷水タンクまたは前記温水タンクの少なくとも一方に貯留された飲料水を、前記第一返水管、前記第二返水管、前記第三返水管、前記第四返水管を介して循環させるポンプと、
を備え、
前記温水タンク、前記第三原水供給管、前記第一原水供給管、前記第一返水管、前記第二返水管、前記常温水出水管、前記第四返水管、前記温水出水管に飲料水を通水させる第一循環状態と、
前記温水タンク、前記第三原水供給管、前記第一原水供給管、前記第一返水管、前記第三返水管、前記冷水出水管、前記冷水タンク、前記常温水出水管、前記第四返水管、前記温水出水管に飲料水を通水させる第二循環状態と、
前記冷水タンク、前記常温水出水管、前記第二返水管、前記第一返水管、前記第一原水供給管、前記第二原水供給管に飲料水を通水させる第三循環状態と、
を有する飲料水サーバー。
【請求項２】
前記ポンプは、
前記第一原水供給管に配置された第一非容積式ポンプと、
前記第三原水供給管に配置された第二非容積式ポンプと、
からなる請求項１に記載の飲料水サーバー。
【請求項３】
前記ポンプは、
前記第一原水供給管に配置された容積式ポンプからなる請求項１に記載の飲料水サーバー。
【請求項４】
前記ポンプは、前記第一返水管に配置された第三非容積式ポンプからなり、
前記原水容器に充填された飲料水が水頭差により前記冷水タンクと前記温水タンクに供給される請求項１に記載の飲料水サーバー。
【請求項５】
前記第一循環状態、前記第二循環状態、前記第三循環状態の順に飲料水を通水する請求項１から請求項４のうちいずれか一項に記載の飲料水サーバー。
【請求項６】
前記第二循環状態、前記第三循環状態、前記第一循環状態の順に飲料水を通水する請求項１から請求項４のうちいずれか一項に記載の飲料水サーバー。
【請求項７】
飲料水が充填された原水容器が着脱する連結部と、
前記飲料水を冷却する冷却器を有し、冷水と常温水を貯留する冷水タンクと、
前記飲料水を加熱する加熱器を有し、温水を貯留する温水タンクと、
前記連結部に連通して、前記原水容器に充填された飲料水を下流分岐弁まで通水する第一原水供給管と、
前記下流分岐弁から前記冷水タンクの上部に向けて配管される第二原水供給管と、
前記下流分岐弁から前記温水タンクの下部に向けて配管される第三原水供給管と、
前記冷水タンクの下部に連通して、冷水を冷水出水弁まで通水する冷水出水管と、
前記冷水タンクの上部に連通して、常温水を常温水出水弁まで通水する常温水出水管と、
前記温水タンクに連通して、温水を温水出水弁まで通水する温水出水管と、
前記第一原水供給管の上流側で上流分岐弁を介して分岐して、飲料水を返水分岐弁まで通水する第一返水管と、
前記返水分岐弁から前記常温水出水管に向けて配管される第二返水管と、
前記返水分岐弁から前記冷水出水管に向けて配管される第三返水管と、
前記常温水出水管の上流側と前記温水出水管の下流側を連通する第四返水管と、
前記冷水タンクまたは前記温水タンクの少なくとも一方に貯留された飲料水を、前記第一返水管、前記第二返水管、前記第三返水管、前記第四返水管を介して循環させるポンプと、
を備え、
前記温水タンク、前記第三原水供給管、前記第一原水供給管、前記第一返水管、前記第二返水管、前記常温水出水管、前記第四返水管、前記温水出水管に飲料水を通水させる第一循環状態を有する飲料水サーバー。
【請求項８】
飲料水が充填された原水容器が着脱する連結部と、
前記飲料水を冷却する冷却器を有し、冷水と常温水を貯留する冷水タンクと、
前記飲料水を加熱する加熱器を有し、温水を貯留する温水タンクと、
前記連結部に連通して、前記原水容器に充填された飲料水を下流分岐弁まで通水する第一原水供給管と、
前記下流分岐弁から前記冷水タンクの上部に向けて配管される第二原水供給管と、
前記下流分岐弁から前記温水タンクの下部に向けて配管される第三原水供給管と、
前記冷水タンクの下部に連通して、冷水を冷水出水弁まで通水する冷水出水管と、
前記冷水タンクの上部に連通して、常温水を常温水出水弁まで通水する常温水出水管と、
前記温水タンクに連通して、温水を温水出水弁まで通水する温水出水管と、
前記第一原水供給管の上流側で上流分岐弁を介して分岐して、飲料水を返水分岐弁まで通水する第一返水管と、
前記返水分岐弁から前記常温水出水管に向けて配管される第二返水管と、
前記返水分岐弁から前記冷水出水管に向けて配管される第三返水管と、
前記常温水出水管の上流側と前記温水出水管の下流側を連通する第四返水管と、
前記冷水タンクまたは前記温水タンクの少なくとも一方に貯留された飲料水を、前記第一返水管、前記第二返水管、前記第三返水管、前記第四返水管を介して循環させるポンプと、
を備え、
前記温水タンク、前記第三原水供給管、前記第一原水供給管、前記第一返水管、前記第三返水管、前記冷水出水管、前記冷水タンク、前記常温水出水管、前記第四返水管、前記温水出水管に飲料水を通水させる第二循環状態を有する飲料水サーバー。
【発明の詳細な説明】
【技術分野】
【０００１】
本発明は、飲料水サーバーに関する。
【背景技術】
【０００２】
飲料水サーバーは、ウォーターサーバーや飲料水ディスペンサー等と呼ばれている飲料水供給装置である。
飲料水サーバーは、温水を貯留する温水タンクと冷水を貯留する冷水タンクを備える。これらタンクに向けて飲料水ボトルから飲料水が供給され、各タンク内で飲料水が加熱または冷却される。
各タンクにはそれぞれ出水管が接続されて、出水管の先端に設けられたバルブ（出水弁）の操作によって各タンクに貯留された飲料水（温水、冷水）が取り出される。
【０００３】
飲料水をタンクに貯留すると、雑菌が繁殖してしまうため、飲料水の殺菌を行う必要がある。
温水タンクと温水出水管路は、温水タンクで加熱された温水に触れているので、常に熱殺菌されている。このため、これらの配管系統をさらに殺菌する必要はない。
一方、飲料水ボトルに連結された原水管路や冷水タンク、冷水出水管路は、高温の温水に触れることはない。このため、これらの配管系統を熱殺菌する必要がある。
そこで、冷水タンクの冷水と温水タンクの温水を循環させて混合しつつ、温水タンクの加熱器で飲料水を加熱して熱殺菌する方法が用いられている。
例えば、特許文献１には、飲料水サーバーを熱殺菌する構成が記載されている。
【先行技術文献】
【特許文献】
【０００４】
【特許文献１】特開２０１５−１４７５９３号公報
【発明の概要】
【発明が解決しようとする課題】
【０００５】
飲料水サーバーから取り出される飲料水として、温水と冷水の他に、外気温に近い温度（水温）の常温水を利用したいとの要望がある。
常温水は、直接飲んだときに、冷水に比べて胃腸への負担が少ない。また、常温水は、料理や炊飯に使用しやすいという利点がある。
【０００６】
しかし、温水、冷水および常温水を出水できる飲料水サーバーは殆どない。さらに、温水配管系統、冷水配管系統および常温水配管系統を殺菌できるものはない。
【０００７】
本発明は、温水、冷水および常温水を出水すると共に、各種配管を確実に熱殺菌できる飲料水サーバーを提供することを目的とする。
【課題を解決するための手段】
【０００８】
上述した課題を解決するため、本発明は、以下の手段を採用した。
本発明の飲料水サーバーの第一実施態様は、飲料水が充填された原水容器が着脱する連結部と、前記飲料水を冷却する冷却器を有し、冷水と常温水を貯留する冷水タンクと、前記飲料水を加熱する加熱器を有し、温水を貯留する温水タンクと、前記連結部に連通して、前記原水容器に充填された飲料水を下流分岐弁まで通水する第一原水供給管と、前記下流分岐弁から前記冷水タンクの上部に向けて配管される第二原水供給管と、前記下流分岐弁から前記温水タンクの下部に向けて配管される第三原水供給管と、前記冷水タンクの下部に連通して、冷水を冷水出水弁まで通水する冷水出水管と、前記冷水タンクの上部に連通して、常温水を常温水出水弁まで通水する常温水出水管と、前記温水タンクに連通して、温水を温水出水弁まで通水する温水出水管と、前記第一原水供給管の上流側で上流分岐弁を介して分岐して、飲料水を返水分岐弁まで通水する第一返水管と、前記返水分岐弁から前記常温水出水管に向けて配管される第二返水管と、前記返水分岐弁から前記冷水出水管に向けて配管される第三返水管と、前記常温水出水管の上流側と前記温水出水管の下流側を連通する第四返水管と、前記冷水タンクまたは前記温水タンクの少なくとも一方に貯留された飲料水を、前記第一返水管、前記第二返水管、前記第三返水管、前記第四返水管を介して循環させるポンプと、を備え、前記温水タンク、前記第三原水供給管、前記第一原水供給管、前記第一返水管、前記第二返水管、前記常温水出水管、前記第四返水管、前記温水出水管に飲料水を通水させる第一循環状態と、前記温水タンク、前記第三原水供給管、前記第一原水供給管、前記第一返水管、前記第三返水管、前記冷水出水管、前記冷水タンク、前記常温水出水管、前記第四返水管、前記温水出水管に飲料水を通水させる第二循環状態と、前記冷水タンク、前記常温水出水管、前記第二返水管、前記第一返水管、前記第一原水供給管、前記第二原水供給管に飲料水を通水させる第三循環状態と、を有することを特徴とする。
【０００９】
本発明の飲料水サーバーの第二実施態様は、第一実施態様において、前記ポンプは、前記第一原水供給管に配置された第一非容積式ポンプと、前記第三原水供給管に配置された第二非容積式ポンプと、からなることを特徴とする。
【００１０】
本発明の飲料水サーバーの第三実施態様は、第一実施態様において、前記ポンプは、前記第一原水供給管に配置された容積式ポンプからなることを特徴とする。
【００１１】
本発明の飲料水サーバーの第四実施態様は、第一実施態様において、前記ポンプは、前記第一返水管に配置された第三非容積式ポンプからなり、前記原水容器に充填された飲料水が水頭差により前記冷水タンクと前記温水タンクに供給されることを特徴とする。
【００１２】
本発明の飲料水サーバーの第五実施態様は、第一から第四実施態様のいずれかにおいて、前記第一循環状態、前記第二循環状態、前記第三循環状態の順に飲料水を通水することを特徴とする。
【００１３】
本発明の飲料水サーバーの第六実施態様は、第一から第四実施態様のいずれかにおいて、前記第二循環状態、前記第三循環状態、前記第一循環状態の順に飲料水を通水することを特徴とする。
【００１４】
本発明の飲料水サーバーの第七実施態様は、飲料水が充填された原水容器が着脱する連結部と、前記飲料水を冷却する冷却器を有し、冷水と常温水を貯留する冷水タンクと、前記飲料水を加熱する加熱器を有し、温水を貯留する温水タンクと、前記連結部に連通して、前記原水容器に充填された飲料水を下流分岐弁まで通水する第一原水供給管と、前記下流分岐弁から前記冷水タンクの上部に向けて配管される第二原水供給管と、前記下流分岐弁から前記温水タンクの下部に向けて配管される第三原水供給管と、前記冷水タンクの下部に連通して、冷水を冷水出水弁まで通水する冷水出水管と、前記冷水タンクの上部に連通して、常温水を常温水出水弁まで通水する常温水出水管と、前記温水タンクに連通して、温水を温水出水弁まで通水する温水出水管と、前記第一原水供給管の上流側で上流分岐弁を介して分岐して、飲料水を返水分岐弁まで通水する第一返水管と、前記返水分岐弁から前記常温水出水管に向けて配管される第二返水管と、前記返水分岐弁から前記冷水出水管に向けて配管される第三返水管と、前記常温水出水管の上流側と前記温水出水管の下流側を連通する第四返水管と、前記冷水タンクまたは前記温水タンクの少なくとも一方に貯留された飲料水を、前記第一返水管、前記第二返水管、前記第三返水管、前記第四返水管を介して循環させるポンプと、を備え、前記温水タンク、前記第三原水供給管、前記第一原水供給管、前記第一返水管、前記第二返水管、前記常温水出水管、前記第四返水管、前記温水出水管に飲料水を通水させる第一循環状態を有することを特徴とする。
【００１５】
本発明の飲料水サーバーの第八実施態様は、飲料水が充填された原水容器が着脱する連結部と、前記飲料水を冷却する冷却器を有し、冷水と常温水を貯留する冷水タンクと、前記飲料水を加熱する加熱器を有し、温水を貯留する温水タンクと、前記連結部に連通して、前記原水容器に充填された飲料水を下流分岐弁まで通水する第一原水供給管と、前記下流分岐弁から前記冷水タンクの上部に向けて配管される第二原水供給管と、前記下流分岐弁から前記温水タンクの下部に向けて配管される第三原水供給管と、前記冷水タンクの下部に連通して、冷水を冷水出水弁まで通水する冷水出水管と、前記冷水タンクの上部に連通して、常温水を常温水出水弁まで通水する常温水出水管と、前記温水タンクに連通して、温水を温水出水弁まで通水する温水出水管と、前記第一原水供給管の上流側で上流分岐弁を介して分岐して、飲料水を返水分岐弁まで通水する第一返水管と、前記返水分岐弁から前記常温水出水管に向けて配管される第二返水管と、前記返水分岐弁から前記冷水出水管に向けて配管される第三返水管と、前記常温水出水管の上流側と前記温水出水管の下流側を連通する第四返水管と、前記冷水タンクまたは前記温水タンクの少なくとも一方に貯留された飲料水を、前記第一返水管、前記第二返水管、前記第三返水管、前記第四返水管を介して循環させるポンプと、を備え、前記温水タンク、前記第三原水供給管、前記第一原水供給管、前記第一返水管、前記第三返水管、前記冷水出水管、前記冷水タンク、前記常温水出水管、前記第四返水管、前記温水出水管に飲料水を通水させる第二循環状態を有することを特徴とする。
【発明の効果】
【００１６】
本発明の飲料水サーバーは、温水、冷水および常温水を出水すると共に、各種配管を確実に熱殺菌できる。
【図面の簡単な説明】
【００１７】
【図１】本発明の実施形態に係る飲料水サーバー１の概略構成を示す図である。
【図２】冷水タンク充填、温水タンク充填を示す図である。
【図３】第一循環状態を示す図である。
【図４】第二循環状態を示す図である。
【図５】冷水出水、常温水出水、温水出水を示す図である。
【図６】第三循環状態を示す図である。
【図７】冷水出水前循環を示す図である。
【発明を実施するための形態】
【００１８】
〔飲料水サーバー１の全体構成〕
本発明の実施形態に係る飲料水サーバー１について、図面を参照して説明する。なお、各図面は模式図であり、タンクや配管等は、寸法・割合・角度が正確に描かれているとは限らない。
【００１９】
図１は、飲料水サーバー１の概略構成を示す模式図である。
飲料水サーバー１は、いわゆるエアレスタイプのウォーターサーバーであり、飲料水ボトル５に充填された飲料水Ｗを給水部７から出水する。飲料水サーバー１は、水頭差を用いずに、第一ポンプ４１を用いて飲料水Ｗを出水する。
【００２０】
飲料水Ｗが飲料水ボトル５からタンク２，４を経て給水部７に向けて流れる方向を正方向という。飲料水ボトル５側を上流、給水部７側を下流という。
飲料水Ｗが給水部７からタンク２，４を経て飲料水ボトル５に向けて流れる方向を反方向という。
【００２１】
飲料水サーバー１は、冷水Ｃを貯留する冷水タンク２、温水Ｈを貯留する温水タンク４を備える。これらタンク２，４がサーバーハウジング（不図示）に収容される。
冷水タンク２と温水タンク４は、それぞれ断熱材（不図示）で覆われて、サーバーハウジングの上下方向のほぼ中央に配置される。温水タンク４がサーバーハウジングの前方側に、冷水タンク２がサーバーハウジングの後方側に配置される。
【００２２】
サーバーハウジングの最下部には、飲料水Ｗ（常温水Ｎ）が充填された飲料水ボトル５が着脱可能に配置される。飲料水ボトル（原水容器）５は、いわゆるクラッシャブルボトルであって、例えばＰＥＴにより成型される。
サーバーハウジングの底面中央には、飲料水ボトル５が装着される連結部６が設けられる。飲料水ボトル５を上下逆さにして、飲料水ボトル５の口部を連結部６に嵌め入れることにより、サーバーハウジングに飲料水ボトル５が装着される。
【００２３】
サーバーハウジングの前面には、飲料水Ｗ（冷水Ｃ、温水Ｈ、常温水Ｎ）を受け取る給水部７が設けられ、冷水Ｃ、温水Ｈ、常温水Ｎの出水口８が配置される。
出水口８は、後述する常温水出水管２１、冷水出水管２３、温水出水管２５に連通する。言い換えれば、常温水出水管２１、冷水出水管２３、温水出水管２５が合流して、出水口８に接続する。
出水口８を１つ設けるのではなく、３つの出水口（常温水出水口、冷水出水口、温水用出水口）を設けてもよい。
【００２４】
給水部７の上方には、利用者が各種操作を行うための操作パネル（不図示）が設けられる。この操作パネルには、冷水出水ボタンや温水出水ボタン、常温水出水ボタン、熱殺菌ボタン等が配設される。
【００２５】
冷水タンク２は、ステンレス製の容器であり、内部に貯留された飲料水Ｗを冷却する冷却器（不図示）が付設される。冷却器は、側壁の下方側に沿って配置される。冷却器には、コンプレッサー方式、ペルチェ方式等が用いれられる。冷却器は、コントローラ（不図示）によって制御される。
【００２６】
冷水タンク２の上部側には、冷水タンク２の内部を上下に区画するセパレーター３が配置される。セパレーター３は、水平方向に拡がる板部材であり、冷水タンク２に貯留された飲料水Ｗの上下方向における対流を阻害する。つまり、セパレーター３は、冷水タンク２の上部側に貯留された飲料水Ｗと下部側に貯留された飲料水Ｗの混合をしづらくする。これにより、冷水タンク２は、上部側に常温水Ｎを、下部側に冷水Ｃを貯留することができる。
【００２７】
冷水タンク２の上部には、冷水タンク２に飲料水Ｗを注水する第二原水供給管１４が接続される。この第二原水供給管１４は、下流分岐弁１２を介して、連結部６に連通する第一原水供給管１１に接続される。
下流分岐弁１２は、冷水タンク２の近傍に配置される。
したがって、冷水タンク２には、飲料水ボトル５に充填された飲料水Ｗ（常温水Ｎ）が、連結部６から第一原水供給管１１、下流分岐弁１２、第二原水供給管１４を介して注水される。
【００２８】
また、冷水タンク２には、常温水出水管２１と冷水出水管２３が接続される。
常温水出水管２１は、セパレーター３よりも上方で開口し、給水部７の出水口８に連通する。常温水出水管２１の最下流には、常温水出水弁２２が配置される。この常温水出水弁２２を開くことにより、常温水出水管２１を介して、冷水タンク２の上部に貯留された飲料水Ｗ（常温水Ｎ）が出水口８から出水される。
冷水出水管２３は、セパレーター３よりも下方で開口し、給水部７の出水口８に連通する。冷水出水管２３の最下流には、冷水出水弁２４が配置される。この冷水出水弁２４を開くことにより、冷水出水管２３を介して、冷水タンク２の下部に貯留された飲料水Ｗ（冷水Ｃ）が出水口８から出水される。
【００２９】
温水タンク４は、ステンレス製の密閉容器であり、内部に貯留された飲料水Ｗを加熱する加熱器（不図示）が付設される。加熱器には、シーズヒーターやバンドヒーター等が用いられる。加熱器は、コントローラ（不図示）によって制御される。
加熱器は、温水タンク４の外部に配置されてもよい。
【００３０】
温水タンク４には、第三原水供給管１５と温水出水管２５が接続される。
第三原水供給管１５は、下流分岐弁１２に接続される。つまり、下流分岐弁１２を介して、連結部６に連通する第一原水供給管１１に接続される。
したがって、温水タンク４には、飲料水ボトル５に充填された飲料水Ｗ（常温水Ｎ）が、連結部６から第一原水供給管１１、下流分岐弁１２、第三原水供給管１５を介して注水される。
温水出水管２５は、温水タンク４の上部で開口し、給水部７の出水口８に連通する。温水出水管２５の最下流には、温水出水弁２６が配置される。この温水出水弁２６を開くことにより、温水出水管２５を介して、温水タンク４に貯留された飲料水Ｗ（温水Ｈ）が出水口８から出水される。
【００３１】
常温水出水弁２２、冷水出水弁２４および温水出水弁２６は、電磁式開閉制御弁であって、操作パネルの常温水出水ボタンや冷水出水ボタン、温水出水ボタンの操作に従って作動する。
常温水出水弁２２、冷水出水弁２４および温水出水弁２６は、手動式開閉弁であってもよい。この場合は、常温水出水ボタン、冷水出水ボタンおよび温水出水ボタンは不要となる。
【００３２】
飲料水サーバー１は、上述したタンクや配管に滞留した飲料水Ｗを、定期的または不定期に循環させる返水路（第一返水管３１、第二返水管３２、第三返水管３３、第四返水管３４）を備える。
第一返水管３１は、第一原水供給管１１の上流側（連結部６の近傍）で上流分岐弁１３を介して分岐して、給水部７に向けて延びる。第一返水管３１の端部には、返水分岐弁３５が接続される。
第二返水管３２は、返水分岐弁３５から常温水出水管２１の下流側（常温水出水弁２２よりも上流）に連通する。
第三返水管３３は、返水分岐弁３５から冷水出水管２３の下流側（冷水出水弁２４よりも上流）に連通する。
第四返水管３４は、常温水出水管２１の上流側（冷水タンク２の近傍）と温水出水管２５の下流側（温水出水弁２６よりも上流）に連通する
【００３３】
飲料水サーバー１は、ポンプ４１，４２を備え、飲料水Ｗを冷水タンク２や温水タンク４に注水したり、給水部７から出水したりする。
また、ポンプ４１，４２は、飲料水Ｗを各種配管に循環（通水）させる。すなわち、ポンプ４１，４２は、冷水タンク２または温水タンク４の少なくとも一方に貯留された飲料水Ｗを、返水路（第一返水管３１、第二返水管３２、第三返水管３３、第四返水管３４）を介して循環させる。
【００３４】
第一ポンプ（第一非容積式ポンプ）４１は、非容積型ポンプであって、第一原水供給管１１に配置される。具体的には、第一ポンプ４１は、渦巻ポンプであって、下流分岐弁１２と上流分岐弁１３の間に配置される。第一ポンプ４１は、連結部６の近傍に配置される。第一ポンプ４１は、飲料水Ｗを下流分岐弁１２に向かう方向（正方向）に送水することができる。第一ポンプ４１は、停止時には、飲料水Ｗを通水させる（飲料水Ｗが正方向と反方向に通水する）。
【００３５】
第二ポンプ（第二非容積式ポンプ）４２は、非容積型ポンプであって、第三原水供給管１５に配置される。具体的には、第二ポンプ４２は、渦巻ポンプであって、温水タンク４の下方に配置される。第二ポンプ４２は、飲料水Ｗ（温水Ｈ）を下流分岐弁１２に向かう方向（反方向）に送水できる。第二ポンプ４２は、停止時には、飲料水Ｗを通水させる（飲料水Ｗが正方向と反方向に通水する）。
【００３６】
次に、飲料水サーバー１の動作について説明する。
飲料水充填、エア除去、衛生循環、熱殺菌、簡易熱殺菌、冷水出水循環について説明する。
なお、飲料水サーバー１は、定常状態において、上流分岐弁１３が第一原水供給管１１同士を連通し、下流分岐弁１２が第一原水供給管１１と第二原水供給管１４を連通し、返水分岐弁３５が第一返水管３１と第三返水管３３を連通する（図５（ａ）、（ｂ）参照）。
【００３７】
〔飲料水充填〕
飲料水サーバー１を使用開始するときは、まず、飲料水ボトル５から冷水タンク２や温水タンク４等に飲料水Ｗを充填する。
飲料水充填は、冷水タンク充填、温水タンク充填、第一返水管充填、第三返水管充填、冷水出水、常温水出水、温水出水の順に行う。
【００３８】
（冷水タンク充填）
図２（ａ）に示すように、冷水タンク充填では、定常状態で第一ポンプ４１を回転させる。そして、冷水出水弁２４を開け、常温水出水弁２２を閉じて、飲料水ボトル５の飲料水Ｗを、第一原水供給管１１と第二原水供給管１４を介して、冷水タンク２に向けて送水する。
所定時間（冷水タンク２に飲料水Ｗが充填される時間）が経過したら、冷水出水弁２４を閉じて、第一ポンプ４１を停止させる。
【００３９】
（温水タンク充填）
図２（ｂ）に示すように、温水タンク充填では、定常状態から下流分岐弁１２を切り替えて、第一ポンプ４１を正回転させる。そして、温水出水弁２６を開けて、飲料水ボトル５の飲料水Ｗを、第一原水供給管１１と第三原水供給管１５を介して、温水タンク４に向けて送水する。
所定時間（温水タンク４に飲料水Ｗが充填される時間）が経過したら、温水出水弁２６を閉じて、第一ポンプ４１を停止させる。
【００４０】
（第一返水管充填：第一循環状態）
図３に示すように。第一返水管充填では、温水タンク充填の状態から上流分岐弁１３と返水分岐弁３５を切り替えて、第二ポンプ４２を回転させる。温水タンク４に充填された飲料水Ｗを、第三原水供給管１５、第一原水供給管１１、第一返水管３１、第二返水管３２、常温水出水管２１、第四返水管３４、温水出水管２５を介して、再び温水タンク４に戻す。
【００４１】
（第三返水管充填：第二循環状態）
図４に示すように、第三返水管充填では、第一返水管充填の状態から返水分岐弁３５を切り替えて、第二ポンプ４２を回転させる。温水タンク４に充填された飲料水Ｗを、第三原水供給管１５、第一原水供給管１１、第一返水管３１、第三返水管３３、冷水出水管２３、冷水タンク２、常温水出水管２１、第四返水管３４、温水出水管２５を介して、再び温水タンク４に戻す。
【００４２】
（冷水出水）
図５（ａ）に示すように、冷水出水では、冷水出水管２３に飲料水Ｗを充填する。
定常状態に戻して、第一ポンプ４１を回転させる。冷水出水弁２４を開いて、飲料水ボトル５の飲料水Ｗを、第一原水供給管１１と第二原水供給管１４を介して、冷水タンク２に向けて送水する。
そして、出水口８から飲料水Ｗが出水したら、冷水出水弁２４を閉じて、第一ポンプ４１を停止させる。
【００４３】
（常温水出水）
図５（ｂ）に示すように、常温水出水では、常温水出水管２１に飲料水Ｗを充填する。
定常状態で第一ポンプ４１を回転させる。常温水出水弁２２を開いて、飲料水ボトル５の飲料水Ｗを、第一原水供給管１１と第二原水供給管１４を介して、冷水タンク２に向けて送水する。
そして、出水口８から飲料水Ｗが出水したら、常温水出水弁２２を閉じて、第一ポンプ４１を停止させる。
【００４４】
（温水出水）
図５（ｃ）に示すように、温水出水では、温水出水管２５に飲料水Ｗを充填する。
定常状態から下流分岐弁１２を切り替えて、第一ポンプ４１を回転させる。温水出水弁２６を開放し、飲料水ボトル５の飲料水Ｗを、第一原水供給管１１と第三原水供給管１５を介して、温水タンク４に向けて送水する。
そして、出水口８から飲料水Ｗが出水したら、温水出水弁２６を閉じて、第一ポンプ４１を停止させる。
【００４５】
〔エア除去〕
第一ポンプ４１は、渦巻ポンプであるため、空気を噛み込むと空回りしてしまう。飲料水ボトル５と連結部６の間から第一原水供給管１１に空気が入り込んで、第一ポンプ４１が空回り（送水不良が発生）する可能性がある。
そこで、第一原水供給管１１から空気を除去する動作を行う。エア除去は、例えば飲料水ボトル５を交換した後などに、任意に行われる。
【００４６】
（エア除去循環：第一循環状態）
エア除去循環は、上述した第一返水管充填と同一である（図３参照）。
定常状態から下流分岐弁１２、上流分岐弁１３および返水分岐弁３５を切り替えて、第二ポンプ４２を回転させる。温水タンク４に充填された飲料水Ｗを、第三原水供給管１５、第一原水供給管１１、第一返水管３１、第二返水管３２、常温水出水管２１、第四返水管３４、温水出水管２５を介して、再び温水タンク４に戻す。
エア除去循環は、例えば二十秒間行われる。
【００４７】
なお、第二ポンプ４２は、第一ポンプ４１と同様に渦巻ポンプであるものの、空気を噛み込むおそれがない。なぜなら、第二ポンプ４２は、温水タンク４の下方に配置されており、温水タンク４に充填された飲料水Ｗ（温水Ｈ）を下流分岐弁１２に向かう方向（反方向）に送水するからである。
第一循環状態と第二循環状態において、第二ポンプ４２を用いて飲料水Ｗを反方向に送水するのは、空気の噛み込みによる空回り（送水不良）を確実に回避するためである。
【００４８】
〔衛生循環〕
飲料水サーバー１を使用していないと、各種配管に充填された飲料水Ｗに雑菌が繁殖しやすくなる。このため、飲料水Ｗを各種配管等に循環させて、雑菌の繁殖を防止する衛生循環を行う。
衛生循環は、二時間に一度程度の頻度で行われる。
衛生循環は、常温水出水弁２２、冷水出水弁２４、温水出水弁２６を閉じた状態で、第一循環、第二循環、第三循環の順に行う。
【００４９】
（第一循環：第一循環状態）
第一循環は、上述した第一返水管充填と同一である（図３参照）。
定常状態から下流分岐弁１２、上流分岐弁１３および返水分岐弁３５を切り替えて、第二ポンプ４２を回転させる。温水タンク４に充填された飲料水Ｗを、第三原水供給管１５、第一原水供給管１１、第一返水管３１、第二返水管３２、常温水出水管２１、第四返水管３４、温水出水管２５を介して、再び温水タンク４に戻す。
第一循環は、例えば二秒間行われる。
【００５０】
（第二循環：第二循環状態）
第二循環は、上述した第三返水管充填と同様の動作を行う（図４参照）。
第一循環状態から返水分岐弁３５を切り替えて、第二ポンプ４２を回転させる。温水タンク４に充填された飲料水Ｗを、第三原水供給管１５、第一原水供給管１１、第一返水管３１、第三返水管３３、冷水出水管２３、冷水タンク２、常温水出水管２１、第四返水管３４、温水出水管２５を介して、再び温水タンク４に戻す。
第二循環は、例えば二秒間行われる。
【００５１】
（第三循環：第三循環状態）
図６に示すように、第三循環では、第二循環状態から下流分岐弁１２と返水分岐弁３５を切り替えて、第一ポンプ４１を回転させる。冷水タンク２に充填された飲料水Ｗを、常温水出水管２１、第二返水管３２、第一返水管３１、第一原水供給管１１、第二原水供給管１４を介して、再び冷水タンク２に戻す。
第三循環は、例えば二秒間行われる。
【００５２】
〔熱殺菌〕
飲料水サーバー１を長時間に亘って使用しないと、各種配管に充填された飲料水Ｗに雑菌が繁殖してしまう。このため、温水Ｈを各種配管等に循環させて、雑菌を死滅させる熱殺菌を行う。
熱殺菌は、例えば三十日に一度程度の頻度で行われる。熱殺菌は、熱殺菌ボタンの操作によって任意に行うこともできる。
熱殺菌は、常温水出水弁２２、冷水出水弁２４、温水出水弁２６を閉じた状態で、上述した第一循環、第二循環、第三循環、エア除去循環の順に行う。
【００５３】
（第一循環：第一循環状態）
第一循環は、上述した通りである（図３参照）。
すなわち、加熱器を作動させながら、飲料水Ｗを温水タンク４から第三原水供給管１５、第一原水供給管１１、第一返水管３１、第二返水管３２、常温水出水管２１、第四返水管３４、温水出水管２５に送水させる。
例えば８５℃〜８８℃程度の温水Ｈを循環させて、熱殺菌する。
第一循環は、例えば二分間行われる。
【００５４】
（第二循環：第二循環状態）
第二循環は、上述した通りである（図４参照）。
冷却器を停止し、加熱器を作動させながら、飲料水Ｗを温水タンク４から第三原水供給管１５、第一原水供給管１１、第一返水管３１、第三返水管３３、冷水出水管２３、冷水タンク２、常温水出水管２１、第四返水管３４、温水出水管２５に送水させる。
温水Ｈが冷水Ｃに混合した後に加熱されて、例えば７０℃〜７５℃程度の温水Ｈになる。この温水Ｈを循環させて、熱殺菌する。
第二循環は、飲料水Ｗが例えば７０℃〜７５℃程度の温水Ｈになった後に、例えば十五分間行われる。
【００５５】
（第三循環：第三循環状態）
第三循環は、上述した通りであり、第二循環の直後に行われる（図６参照）。
加熱器を停止して、７０℃〜７５℃程度の温水Ｈを、冷水タンク２から常温水出水管２１、第二返水管３２、第一返水管３１、第一原水供給管１１、第二原水供給管１４に送水させる。
温水タンク４の加熱器を用いずに、冷水タンク２等に残留する７０℃〜７５℃程度の温水Ｈを循環させて、第二原水供給管１４を熱殺菌する。
第三循環は、例えば五分間行われる。
【００５６】
（エア除去循環：第一循環状態）
最後にエア除去循環を行う。エア除去循環は、第一循環と同一である（図３参照）。
この第一循環は、第一ポンプ４１のエア抜き作業であり、例えば二十秒間行われる。
【００５７】
〔簡易熱殺菌〕
簡易熱殺菌は、五日に一度程度の頻度で行われる。
簡易熱殺菌は、常温水出水弁２２、冷水出水弁２４、温水出水弁２６を閉じた状態で、第一循環のみを行う。
【００５８】
（第一循環：第一循環状態）
第一循環は、上述した通りである（図３参照）。
加熱器を作動させながら、飲料水Ｗを温水タンク４から第三原水供給管１５、第一原水供給管１１、第一返水管３１、第二返水管３２、常温水出水管２１、第四返水管３４、温水出水管２５に送水させる。
８５℃〜８８℃程度の温水Ｈを循環させて、熱殺菌する。
第一循環は、例えば二分間行われる。
【００５９】
〔冷水出水循環〕
飲料水サーバー１の通常使用に際して、上述したように冷水出水、常温水出水、温水出水を行うと、冷水出水において冷水Ｃの水温が安定しないという問題が生じる。冷水タンク２に貯留された冷水Ｃに比べて、冷水出水管２３に滞留した冷水Ｃの水温が高くなる。
飲料水サーバー１では、冷水タンク２がサーバーハウジングの後方側に配置されるため、冷水出水管２３が長くなるからである。
このため、一杯目の冷水Ｃは、二杯目の冷水Ｃに比べて、水温が２℃程度高くなる。つまり、一杯目から冷えた冷水Ｃを供給することができない。
そこで、冷水出水時には、以下の動作を行う。
【００６０】
（冷水出水前循環）
図７に示すように、冷水出水ボタンが操作されると、まず、定常状態から上流分岐弁１３を切り替えて、第一ポンプ４１を回転させる。そして、冷水出水弁２４を閉じて、冷水出水管２３の冷水Ｃを第三返水管３３、第一返水管３１、第一原水供給管１１、第二原水供給管１４を介して、再び冷水タンク２に戻す。さらに、冷水タンク２の冷水Ｃを冷水出水管２３に送水する。
この循環状態を約一秒間行う。
【００６１】
（冷水出水）
次いで、図５（ａ）に示すように、冷水出水前循環の状態から上流分岐弁１３を切り替えて、冷水出水弁２４を開く。そして、飲料水ボトル５の飲料水Ｗを、第一原水供給管１１と第二原水供給管１４を介して、冷水タンク２に向けて送水する。これにより、冷水出水管２３を介して出水口８から冷水Ｃが出水される。冷水出水管２３には、冷水タンク２の冷水Ｃが充填されているので、一杯目から冷えた冷水Ｃが供給される。
【００６２】
このように、飲料水サーバー１は、飲料水Ｗとして、温水Ｈ、冷水Ｃおよび常温水Ｎを出水できる。さらに、温水配管系統、冷水配管系統および常温水配管系統を確実に殺菌できる。
【００６３】
本発明は、上述した実施形態に限定されるものではなく、本発明の趣旨を逸脱しない範囲において、上述した実施形態に種々の変更を加えたものを含む。すなわち、実施形態で挙げた具体的な形状や構成等は一例にすぎず、適宜変更が可能である。
【００６４】
熱殺菌は、第一循環状態、第二循環状態、第三循環状態の順に行う場合に限らない。熱殺菌は、第二循環状態、第三循環状態、第一循環状態の順に行ってもよい。
【００６５】
衛生循環は、第一循環状態、第二循環状態、第三循環状態の順に行う場合に限らない。衛生循環は、第二循環状態、第三循環状態、第一循環状態の順に行ってもよい。第三循環状態、第二循環状態、第一循環状態の順に行ってもよい。第三循環状態、第一循環状態、第二循環状態の順に行ってもよい。
【００６６】
エア除去は、第一循環状態のみを行う場合に限らない。エア除去は、第二循環状態のみを行う場合であってもよい。
【００６７】
第一循環状態は、飲料水Ｗを反方向に通水させる場合に限らない。第一循環状態は、飲料水Ｗを正方向に通水させる場合であってもよい。すなわち、温水タンク４に充填された飲料水Ｗを、温水出水管２５、第四返水管３４、常温水出水管２１、第二返水管３２、第一返水管３１、第一原水供給管１１、第三原水供給管１５を介して、再び温水タンク４に戻す。
【００６８】
第二循環状態は、飲料水Ｗを反方向に通水させる場合に限らない。第二循環状態は、飲料水Ｗを正方向に通水させる場合であってもよい。すなわち、温水タンク４に充填された飲料水Ｗを、温水出水管２５、第四返水管３４、常温水出水管２１、冷水タンク２、冷水出水管２３、第三返水管３３、第一返水管３１、第一原水供給管１１、第三原水供給管１５を介して、再び温水タンク４に戻す。
【００６９】
第三循環状態は、飲料水Ｗを正方向に通水させる場合に限らない。第三循環状態は、飲料水Ｗを反方向に通水させる場合であってもよい。すなわち、冷水タンク２に充填された飲料水Ｗを、第二原水供給管１４、第一原水供給管１１、第一返水管３１、第二返水管３２、常温水出水管２１を介して、再び冷水タンク２に戻す。
【００７０】
（ダイヤフラム型ポンプ）
飲料水サーバー１は、非容積型（渦巻型）のポンプ４１，４２を備える場合に限らない。飲料水サーバー１は、容積型（ダイヤフラム型）のポンプ４５を備える場合であってもよい。
ポンプ（容積式ポンプ）４５は、第一ポンプ４１と同位置に配置される（図１参照）。
ポンプ４５は、飲料水Ｗを下流分岐弁１２に向かう方向（正方向）に送水することができる。ただし、ポンプ４５は、停止時には、飲料水Ｗを通水させることができない（飲料水Ｗが正方向と反方向のいずれにも通水しない）。
【００７１】
（水頭差方式サーバー）
飲料水サーバー１は、ポンプ４１，４２（またはポンプ４５）を用いて飲料水Ｗを供給・注水等する場合に限らない。
飲料水サーバー１は、水頭差によって飲料水Ｗを供給・注水等する場合であってもよい。この場合には、ポンプ４２のみ、あるいは、ポンプ４６のみを備える。
ポンプ（第三非容積式ポンプ）４６は、非容積型（渦巻型）のポンプであって、第一返水管３１に配置される。ポンプ４６は、上流分岐弁１３と返水分岐弁３５の間に配置される（図１参照）。
ポンプ４６は、飲料水Ｗを上流分岐弁１３に向かう方向（正方向）または返水分岐弁３５に向かう方向（反方向）に送水することができる。ポンプ４６は、停止時には、飲料水Ｗを通水させる（飲料水Ｗが正方向と反方向に通水する）。
【００７２】
〔温水出水循環〕
温水タンク４がサーバーハウジングの後方側に配置される場合は、温水出水管２５が長くなる。この場合は、上述した冷水出水前循環に代えて、温水出水前循環を行う。
【００７３】
（温水出水前循環）
温水出水ボタンが操作されると、まず、定常状態から下流分岐弁１２、上流分岐弁１３および返水分岐弁３５を切り替えて、第一ポンプ４１を回転させる。そして、温水出水弁２６を閉じて、温水出水管２５の温水Ｈを第四返水管３４、常温水出水管２１、第二返水管３２、第一返水管３１、第一原水供給管１１、第三原水供給管１５を介して、再び温水タンク４に戻す。さらに、温水タンク４の温水Ｈを温水出水管２５に送水する。
この循環状態を約１秒間行う。
【００７４】
（温水出水）
次いで、図５（ｃ）に示すように、温水出水前循環の状態から上流分岐弁１３と返水分岐弁３５を切り替えて、温水出水弁２６を開く。これにより、温水出水管２５を介して出水口８から温水Ｈが出水される。温水出水管２５には、温水タンク４の温水Ｈが充填されているので、一杯目から温められた温水Ｈが供給される。
【００７５】
飲料水ボトル５は、いわゆるガロンボトル（エアイン、回収型）とクラッシャブルボトル（エアレス、ワンウェイ、使い捨て型）のいずれであってもよい。飲料水ボトル５は、ＰＥＴに限らず、各種樹脂材料等で形成されてもよい。
【００７６】
冷水タンク２、温水タンク４および飲料水ボトル５の形状や数量、配置等は任意である。
【００７７】
飲料水ボトル５に充填される飲料水Ｗは、水に限らず、ジュースやコーヒー等の液体であってもよい。
飲料水ボトル５を用いずに、水道水が飲料水サーバー１に供給される場合であってもよい。
【符号の説明】
【００７８】
１  飲料水サーバー    ２  冷水タンク    ３  セパレーター    ４  温水タンク    ５  飲料水ボトル（原水容器）    ６  連結部    ７  給水部    ８  出水口    １１  第一原水供給管    １２  下流分岐弁    １３  上流分岐弁    １４  第二原水供給管    １５  第三原水供給管    ２１  常温水出水管    ２２  常温水出水弁    ２３  冷水出水管    ２４  冷水出水弁    ２５  温水出水管    ２６  温水出水弁    ３１  第一返水管    ３２  第二返水管    ３３  第三返水管    ３４  第四返水管    ３５  返水分岐弁    ４１  第一ポンプ（第一非容積式ポンプ）    ４２  第二ポンプ（第二非容積式ポンプ）    ４５  ポンプ（容積式ポンプ）    ４６  ポンプ（第三非容積式ポンプ）    Ｗ  飲料水    Ｃ  冷水    Ｎ  常温水    Ｈ  温水    
【図１】
2018058610.tif 000003
【図２】
2018058610.tif 000004
【図３】
2018058610.tif 000005
【図４】
2018058610.tif 000006
【図５】
2018058610.tif 000007
【図６】
2018058610.tif 000008
【図７】
2018058610.tif 000009